【事件の表示】
　平成　５年特許願第１５５７７１号「デジタル画像のズーム処理回路」拒絶査定に対する審判事件［平成　７年　２月　７日出願公開、特開平　７−　３８８０４］について、次のとおり審決する。
【結　論】
　本件審判の請求は、成り立たない。
【理　由】
　
１．手続の経緯・本願発明
　本願は、平成５年６月２５日に出願されたものであって、その請求項１に係る発明（以下、「本願発明」という。）は、平成５年１０月１８日付け手続補正書により補正された明細書及び図面の記載からみて、その特許請求の範囲の請求項１に記載された次のとおりのものと認める。
　「インターレース走査方式のディスプレイ装置におけるデジタル信号に変換された原画像の一部を拡大するデジタル画像のズーム処理回路において、デジタル信号に変換された原画像の画素データのうち原画像の拡大範囲の画素データを記憶する画像メモリと、画像メモリから伝送された原画像の拡大範囲の走査線１本分の画素データを画像メモリの画素データよりも走査線１本分だけ遅れて記憶するラインバッファと、ラインバッファに記憶した画素データ及び画像メモリに記憶した画素データとから、原画像の偶数フィールドの画素データで拡大画像の偶数フィールドの垂直方向の画素データを補間し、原画像の奇数フィールドの画素データで拡大画像の奇数フィールドの垂直方向の画素データを補間するとともに、拡大画像の各フィールドにおいて走査線上の隣合う画素データで拡大画像の水平方向の画素データをそれぞれ補間する補間処理回路とから成ることを特徴とするデジタル画像のズーム処理回路。」
　
２．引用例
(１)これに対して、原査定の拒絶の理由に引用された特開平３−１５３２９７号公報（平成３年７月１日出願公開、以下、「引用例１」という。）には、次の事項が記載されている。
　「上記映像処理装置には、ライン補間を行って拡大してモニタ画面で表示する拡大処理機能を備えたものがある。第９図は従来の映像処理装置を備えた撮像システム１を示す。・・・読出された映像信号（画像信号）は、プリプロセス回路５に入力され、この回路５により輝度信号Ｙと色差信号Ｃが復調され、さらに例えば８ビットのディジタル信号にＡ／Ｄ変換される。このディジタル輝度信号データは第１メモリブロック６に、ディジタル色差信号データは第２メモリブロック７に入力され、フリーズスイッチ８又は拡大スイッチ９による選択に応じてフリーズ、拡大等の処理が行われた後、ポストプロセス回路１１に入力される。このポストプロセス回路１１で入力された輝度信号データ、色差信号データを変調して、ＮＴＳＣ信号を生成し、図示しないカラーモニタ側に出力する。」（引用例１の第１頁右欄第３行〜第２頁左上欄第３行、第９図）
　「上記第１及び第２メモリブロック６，７は互いに同一構成であり、一方の第１メモリブロック６について説明する。入力した信号は、その時ＡフィールドならばＡフィールドメモリ１２に、ＢフィールドメモリならばＢフィールドメモリ１３に入力される。これらのフィールドメモリ１２，１３はメモリコントローラ１４によって制御される。上記Ａフィールドメモリ１２とＢフィールドメモリ１３の出力信号は、１Ｈ（１水平）期間遅延する１Ｈ遅延回路１５と、加算器１６と、マルチプレクサ１７に入力できるようにしてあり、１Ｈ遅延回路１５の出力は加算器１６によって遅延されない信号と加算されてマルチプレクサ１７の他方の端子に入力される。」（引用例１の第２頁左上欄第４行〜第１８行、第９図）
　「つまり、Ａフィールドの第１走査線に沿った信号Ａ１ｎと、このＡフィールドでの次の走査線に沿った信号Ａ２ｎとの平均値でこれらの中間の補間信号（Ａ１ｎ＋Ａ２ｎ）／２を生成する。同様にＢフィールドでは第１走査線に沿った信号Ｂ１ｎと、この次の走査線に沿った信号Ｂ２ｎとの平均で補間信号（Ｂ１ｎ＋Ｂ２ｎ）／２を生成している。」（引用例１の第２頁左下欄第１０行〜第１７行、第１０図、第１１図）
　「つまりこの従来例では、各フィールドで補間を行うので補間が粗くなり、斜線の補間をスムーズな斜線となるように補間できないのはＡフィールドとＢフィールドでの位置が少しずれるためによる。Ｂフィールドの補間方法を少し変えて、１／４と３／４を足す形の補間をすればこの点は解消できるが、その場合の補間回路が複雑になってしまう欠点がある。」（引用例１の第２頁右下欄第２行〜第１０行）
　
（２）同じく原査定の拒絶の理由に引用された特開平２−１４８９７８号公報（平成２年６月７日出願公開、以下、「引用例２」という。）には、次の事項が記載されている。
　「民生用ＶＴＲ等に、一般に電子ズームと称されているディジタルフィールドメモリを用いた画面拡大機能がある。拡大率は普通面積比で４倍（縦横比で２倍）に設定されている。・・・第９図に４倍拡大の概念図を示す。拡大前の画面を便宜上“標準”と称すると、フィールドメモリに標準画面全体を書き込み、読出しの際に拡大したい部分を時間伸長して、さらに足りない走査線を隣接走査線から補間して拡大画面を得ている。このように足りない走査線をフィールド内の隣接走査線より補うことをフィールド内補間という。第９図中、上は標準像を示し、下は拡大像を示す。」（引用例１の第１頁右欄第１８行〜第２頁左上欄第１２行、第９図）
　「第２図に走査線により画面がどの様に構成されるかを示す。上段に標準の構成を示しているが、ＮＴＳＣ方式では周知のとおり、ＯＤＤ，ＥＶＥＮともに２６２.５本のインタレースにより成っている。中段に拡大したい１／４の画面を示し、下段にそれを拡大した場合の画面構成を示している。用いるフィールドメモリの容量は１フィールドにつき中段に示した１／４の画面分だけでもよいが、ディジタルメモリを用いた他の機能と併用したい場合には１フィールド分用意すればよい。」（引用例２の第２頁右下欄第１５行〜第３頁左上欄第５行、第２図）
　「まず、後述する動き検出において“動きあり”と判定した場合について説明する。・・・第４図に示すように、垂直画素平均信号１９は、ディジタル映像信号１５と１Ｈメモリ１８の平均値であり、ディジタル映像信号１５は２Ｈづつ繰り返し読み出されることから、第４図中で１Ｈで示した最初に読み出される水平走査期間には、その走査線上の画素との平均値が出力され、１Ｈで示した２度目に読み出される期間には同じ信号同志の平均値であるので、全くそのものの信号が出力されることになる。これは、第３図のＮフィールド（ＯＤＤ）の“動きあり”に示した補間の形を取る。・・・ＭＰＸ5　２０によりＥＶＥＮフィールド期間にはディジタル映像信号１５をそのまま出力するように切り換える。つまり第３図においてＥＶＥＮフィールド時の“原画素信号”を“動きあり”に示すような位置に置き換えることを意味しており、こうすることによって垂直方向のぼけを少なくする。」（引用例２の第３頁左上欄第１７行〜左下欄第６行、第１図、第３図、第４図）
　「垂直方向に画素補間されたディジタル映像信号をさらに水平方向にも画素補間を行うのが水平画素補間部２８である。第１図および第５図を用いて動作の説明をする。第５図の（ｂ）にディジタル映像信号２７とシフトレジスタ２９によって１画素遅延された信号およびその平均値である水平画素平均信号３０のタイミングを示す。このようなタイミングで発生しているディジタル映像信号２７と水平画素平均信号３０を第５図（ｂ）のマルチプレクサ制御信号のタイミングでＭＰＸ４　３１を制御することにより同図（ａ）で示すように補間されたディジタル映像信号３２を得る。上記の全てのプロセスを経たディジタル映像信号３２は垂直方向に２倍，水平方向に２倍，計４倍の画素信号に補間されたことになり、ＤＡコンバータによりアナログ映像信号に変換される。」（引用例２の第４頁第３行〜第１９行、第１図、第５図）
　
３．対比・判断
　本願発明と引用例１に記載された発明とを比較すると、引用例１の「ＮＴＳＣ信号を生成し、図示しないカラーモニタ側に出力する」との記載における「カラーモニタ」は、本願発明における「インターレース走査方式のディスプレイ装置」に相当し、引用例１の「映像処理装置には、ライン補間を行って拡大してモニタ画面で表示する拡大処理機能を備えたものがある」との記載における「映像処理装置」は、本願発明の「デジタル信号に変換された原画像の一部を拡大するデジタル画像のズーム処理回路」に相当する。また、引用例１の「フィールドメモリ」，「１Ｈ遅延回路」及び「メモリブロック」は、本願発明の「画像メモリ」，「ラインバッファ」及び「補間処理回路」にそれぞれ相当する。
　してみると、両者は、「インターレース走査方式のディスプレイ装置におけるデジタル信号に変換された原画像の一部を拡大するデジタル画像のズーム処理回路において、デジタル信号に変換された原画像の画素データのうち原画像の画素データを記憶する画像メモリと、画像メモリから伝送された原画像の走査線１本分の画素データを画像メモリの画素データよりも走査線１本分だけ遅れて記憶するラインバッファと、ラインバッファに記憶した画素データ及び画像メモリに記憶した画素データとから、原画像の第１のフィールドの画素データで拡大画像の第１のフィールドの垂直方向の画素データを補間し、原画像の第２のフィールドの画素データで拡大画像の第２のフィールドの垂直方向の画素データを補間する補間処理回路とから成ることを特徴とするデジタル画像のズーム処理回路。」である点で一致し、
　次の点で相違する。
（１）画像メモリに記憶する原画像の画素データが、本願発明においては、「拡大範囲の画素データ」であるのに対し、引用例１に記載された発明においては、そのような記載がない点。
（２）「第１のフィールド」及び「第２のフィールド」が、本願発明においては、「偶数フィールド」及び「奇数フィールド」であるのに対し、引用例１に記載された発明においては、「Ａフィールド」及び「Ｂフィールド」と記載されている点。
（３）補間処理回路が、本願発明においては、「拡大画像の各フィールドにおいて走査線上の隣合う画素データで拡大画像の水平方向の画素データをそれぞれ補間する」機能をも有するのに対し、引用例１に記載された発明には、そのような記載がない点。
　
　上記各相違点について検討する。
　
相違点（１）について
　引用例２には、「用いるフィールドメモリの容量は１フィールドにつき（第２図の）中段に示した（拡大したい）１／４の画面分だけでもよい。」と記載されていること、引用例１及び２は共に、デジタル画像の拡大処理においてフィールド毎に補間を行う共通の技術に属するものであることからみて、引用例１に記載の発明において、画像メモリに記憶する原画像の画素データを「拡大範囲の画素データ」とすることは、当業者が容易に想到し得たことである。
　
相違点（２）について
　引用例１において「入力した信号は、その時ＡフィールドならばＡフィールドメモリ１２に、ＢフィールドメモリならばＢフィールドメモリ１３に入力される」及び「ＮＴＳＣ信号を生成し、図示しないカラーモニタ側に出力する」と記載されていることからみて、「Ａフィールド」及び「Ｂフィールド」は「偶数（または奇数）フィールド」及び「奇数（または偶数）フィールド」に実質的に対応することは明らかであるから、引用例１に記載の発明の「Ａフィールド」及び「Ｂフィールド」を、それぞれ「偶数フィールド」及び「奇数フィールド」とすることは、当業者が容易に想到し得たことである。
　
相違点（３）について
　引用例２において、「垂直方向に画素補間されたディジタル映像信号をさらに水平方向にも画素補間を行うのが水平画素補間部２８である。・・・第５図の（ｂ）にディジタル映像信号２７とシフトレジスタ２９によって１画素遅延された信号およびその平均値である水平画素平均信号３０のタイミングを示す。・・・上記の全てのプロセスを経たディジタル映像信号３２は垂直方向に２倍，水平方向に２倍，計４倍の画素信号に補間されたことになり、・・・」と記載されていること、引用例１及び２は共に、デジタル画像の拡大処理においてフィールド毎に補間を行う共通の技術に属するものであることからみて、引用例１に記載の発明における「補間処理回路」に、「拡大画像の各フィールドにおいて走査線上の隣合う画素データで拡大画像の水平方向の画素データをそれぞれ補間する」機能をも有せしめることにより、垂直方向及び水平方向に拡大処理を行うよう構成することは、当業者が容易に想到し得たことである。
　
　そして、本願発明が奏する「拡大画像の偶数フィールド及び奇数フィールドのそれぞれ同一フィールド内における各走査線間に時間的なずれが生じなくなり、拡大画像の画質が向上する。また、簡単な回路構成で原画像をリアルタイムで略２倍に拡大して良質な拡大画像を得ることができる」という効果は、引用例１及び２に記載された発明から予測しうる程度のもので、格別のものではない。
　
　なお、請求人は審判請求理由補充書３頁において、「本願発明では・・・、各々１つの画像メモリ並びにラインバッファを具備して原画像の略２倍の拡大画像を得られるようにした点に特徴があり、引用例１及び引用例２に記載の発明に比較してコストを抑えることができるという利点がある。」と主張しているが、画像メモリ並びにラインバッファを「各々１つ」具備することは、特許請求の範囲に記載された事項ではない。なお、引用例１においても、「ラインバッファ」に相当する「１Ｈ遅延回路」は１つのみであり、「画像メモリ」に相当する「フィールドメモリ」についても、「入力した信号は、その時ＡフィールドならばＡフィールドメモリに、ＢフィールドメモリならばＢフィールドメモリに入力される。」との記載及び、各フィールドで個別に補間を行うものであることから、必ずしもＡ，Ｂフィールドのそれぞれに別個のメモリを設ける必要のないことが窺える。したがって、「画像メモリ」の個数自体は格別なものではない。したがって、請求人の上記主張は採用できない。
　
４．むすび
　したがって、本願発明は、引用例１及び２に記載された発明に基づいて当業者が容易に発明をすることができたものであるから、特許法第２９条第２項の規定により特許を受けることができない。
　
　よって、結論のとおり審決する。